(57)【要約】【課題】各発光ダイオードの配列がその配置と設計上に起こす困難を受けないようにしたＬＥＤ照明具の発光ダイオード配列構造を提供する。【解決手段】  ＬＥＤ照明具の発光ダイオード配列構造であって、表面上に1層の導電回路を設けてなる回路基板と、前記回路基板上にそれぞれ配置され、前記導電回路を電気接続する複数の発光ダイオードと、を含み、前記回路基板が導電回路を設ける表面上に、仮想円を定義し、前記発光ダイオードに前記仮想円に沿って前記回路基板上に分布させ、円形配列を形成させる。【選択図】図２
0003133397.tif 000002
【実用新案登録請求の範囲】
【請求項１】
ＬＥＤ照明具の発光ダイオード配列構造であって、
表面上に1層の導電回路を設けてなる回路基板と、
前記回路基板上にそれぞれ配置され、前記導電回路を電気接続する複数の発光ダイオードと、を含み、
前記回路基板が導電回路を設ける表面上に、仮想円を定義し、前記発光ダイオードに前記仮想円に沿って前記回路基板上に分布させ、円形配列を形成させることを特徴とするＬＥＤ照明具の発光ダイオード配列構造。
【請求項２】
前記導電回路の正負極接点が前記発光ダイオードの外円に位置する請求項１記載のＬＥＤ照明具の発光ダイオード配列構造。
【請求項３】
更に、複数の仮想円を定義し、各前記仮想円を同心円方式で配列し、且つ各前記仮想円上にいずれも発光ダイオードを分布配置する請求項１記載のＬＥＤ照明具の発光ダイオード配列構造。
【請求項４】
前記内外仮想円上の各前記発光ダイオードが交替で配置される請求項３記載のＬＥＤ照明具の発光ダイオード配列構造。
【請求項５】
前記発光ダイオードが配置される回路基板の位置において、各前記発光ダイオードを収容させる凹溝を設けてなる請求項１記載のＬＥＤ照明具の発光ダイオード配列構造。
【請求項６】
前記発光ダイオード上にいずれも１次レンズを形成してなる請求項１または５記載のＬＥＤ照明具の発光ダイオード配列構造。
【考案の詳細な説明】
【技術分野】
【０００１】
本考案は、ＬＥＤ照明具の発光ダイオード配列構造の改良に関し、特に、発光ダイオードを円形配列したＬＥＤ照明具の発光ダイオード配列構造に関する。
【背景技術】
【０００２】
発光ダイオード（ＬＥＤ）は、それまでの他の電灯に比較して、明度が高い、省電力である、寿命が長い等の多くの長所を有しているので、電子装置または照明具の照明に幅広く応用され、且つその照射範囲および明度を増加させる為、通常は、複数の発光ダイオードを組み合わせてＬＥＤ照明具とし、前記発光ダイオードにより照射面を構成する。
【０００３】
一般照明具の照射面は、通常は、円形である。しかしながら、現在、ＬＥＤランプ組上に設置される発光ダイオードは、陳列方式によりその回路基板上に配列され、このように、一般の照明具の円形照射面の光学２次レンズ（lens）設計に適しておらず、回路の分布においても比較的不便である。
【特許文献１】特開２００６−２１００２５号公報
【特許文献２】特開２００２−３６７４０６号公報
【特許文献３】特開２００３−５９３３２号公報
【考案の開示】
【考案が解決しようとする課題】
【０００４】
本考案は、ＬＥＤ照明具の発光ダイオードの改良された配列構造を提供し、一般の照明具の円形照射面に合わせて、各発光ダイオードを円形配列させることを目的とする。このように、前記ＬＥＤランプ組が光学２次レンズ設計を行う助けとなるだけではなく、同時に導電回路が直列、並列または直列、並列混合の方式を行う助けともなり、導電回路が、各発光ダイオードの配列がその配置と設計上に起こす困難を受けないようにする。
【課題を解決するための手段】
【０００５】
上記の目的を達成するため、本考案が提供するＬＥＤ照明具の発光ダイオード配列構造は、1つの回路基板と複数の発光ダイオードを含み、回路基板表面上には、1層の導電回路を設け、前記発光ダイオードをそれぞれ回路基板上に配置させ、且つ前記導電回路と電気接続させる。そのうち、回路基板が設ける導電回路の表面上には、仮想円を定め、前記発光ダイオードを前記仮想円に沿って、回路基板上に配置させ、円形配列を形成させる。各発光ダイオードが円形配列を呈することにより、上記の目的を達成する。
【０００６】
すなわち、請求項１の考案は、ＬＥＤ照明具の発光ダイオード配列構造であって、
表面上に1層の導電回路を設けてなる回路基板と、前記回路基板上にそれぞれ配置され、前記導電回路を電気接続する複数の発光ダイオードと、を含み、前記回路基板が導電回路を設ける表面上に、仮想円を定義し、前記発光ダイオードに前記仮想円に沿って前記回路基板上に分布させ、円形配列を形成させることを特徴とするＬＥＤ照明具の発光ダイオード配列構造である。
請求項２の考案は、前記導電回路の正負極接点が前記発光ダイオードの外円に位置する請求項１記載のＬＥＤ照明具の発光ダイオード配列構造である。
請求項３の考案は、更に、複数の仮想円を定義し、各前記仮想円を同心円方式で配列し、且つ各前記仮想円上にいずれも発光ダイオードを分布配置する請求項１記載のＬＥＤ照明具の発光ダイオード配列構造である。
請求項４の考案は、前記内外仮想円上の各前記発光ダイオードが交替で配置される請求項３記載のＬＥＤ照明具の発光ダイオード配列構造である。
請求項５の考案は、前記発光ダイオードが配置される回路基板の位置において、各前記発光ダイオードを収容させる凹溝を設けてなる請求項１記載のＬＥＤ照明具の発光ダイオード配列構造である。
請求項６の考案は、前記発光ダイオード上にいずれも１次レンズを形成してなる請求項１または５記載のＬＥＤ照明具の発光ダイオード配列構造である。
【考案の効果】
【０００７】
本考案の発光ダイオード配列構造によれば、回路基板が導電回路を設ける表面上に、仮想円を定義し、前記発光ダイオードに前記仮想円に沿って前記回路基板上に分布させ、円形配列を形成させたので、ＬＥＤランプ組の円形照射面の光学２次レンズ（lens）設計が容易となり、同時に導電回路が直列、並列または直列、並列混合の方式の設計が容易となり、導電回路の配列と配置の設計も容易となる。
【考案を実施するための最良の形態】
【０００８】
本考案の好適な発光ダイオード配列構造の実施例を図面に沿って説明する。
図１および図２は、本考案の第１実施例の立体図および平面俯瞰図である。本考案は、ＬＥＤ照明具の発光ダイオード配列構造を提供し、回路基板１および前記回路基板１上に設ける複数の発光ダイオード（ＬＥＤ）２を含む。
そのうち、前記回路基板１が、絶縁板体であり、その表面上に1層以上の銅箔等の金属導電材質により形成される導電回路１０を鍍金し、その上に配置する各発光ダイオード２を直列、並列接続をするように回路接続させる。前記回路基板１の外型、大きさは、いずれも実際の照明具に合わせて設計することができ、前記発光ダイオード２の数量も実際の状況に応じて決定することができる。
【０００９】
本考案の第１実施例の前記発光ダイオード２を回路基板１上に配置する配列方式は、円形配列または、多数の円形を同心円に形成する方式で配列するものであり、且つ前記発光ダイオード２は、上記導電回路１０を経由して電気接続を形成した後、その正負極の接点１００，１０１が前記発光ダイオード２の外周に位置する。
このような配列方式は、一般の照明具の円形照射面の光学２次レンズ設計に適し、同時に回路上に容易に直列または並列の電気接続を行うことができる。
【００１０】
円形配列というのは、定義上、前記回路基板１が設ける導電回路１０の表面上に、少なくとも１つの仮想円１１を定義し（図２参照）、前記発光ダイオード２を前記仮想円１１上に配置させる。また、多数の同心円を配列する時、複数の仮想円１１を定義し、各仮想円１１が同心円方式により配列され、前記発光ダイオード２をそれぞれ、各仮想円１１上に配置し、且つ内外仮想円１１上に位置する発光ダイオード２は、更に交替に配置させることができる。
【００１１】
図１、図２、図３において、本考案が挙げる第１実施例中、前記導電回路１０は、直列接続の方式で前記発光ダイオード２を電気接続させる。同時に、各発光ダイオード２が配置される回路基板１の位置において、各発光ダイオード２を収容させる凹溝１２を凹設し、各発光ダイオード２のパッケージプロセスの実行を便利にし、各前記凹溝１２上方に１次レンズ２０を形成し、各発光ダイオード２上にいずれも１次レンズ２０を形成した後、発光ダイオード２に対して光学２次レンズ処理を行い、ＬＥＤランプ組を完成する。  
【００１２】
また、図４において、本考案が挙げる第２実施例中、前記導電回路１０は、各３個の隣接する発光ダイオード２を直列に接続し、直列接続した後の各発光ダイオード２を並列に電気接続する。前記発光ダイオード２が円形配列を形成し、且つ内外仮想円１１上の発光ダイオード２が交替方式で配列されることにより、各発光ダイオード２間は、導電回路１０の設計および配置に十分な空間を有する。言い換えれば、本考案は、各発光ダイオード２を円形に配列させることで導電回路１０が直列、並列、および直列並列混合接続することを補助し、前記導電回路１０が、各発光ダイオード２の配列が引き起こす配置および設計上の困難を受けることがないようにする。
【００１３】
更に、図５、図６において、各発光ダイオード２を回路基板１に配置する位置において、前記の各発光ダイオード２を収容させる凹溝１２（図３参照）を凹設する必要がない。即ち、各発光ダイオード２は、直接回路基板１上に配置され、同様に、発光ダイオード２のパッケージプロセスを行うことができる。
【００１４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１５】
【図１】本考案の第１実施例の立体説明図である。
【図２】本考案の第１実施例の平面俯瞰図である。
【図３】図２の３−３切断面の断面図である。
【図４】本考案の第２実施例の平面俯瞰図である。
【図５】本考案の第３実施例の平面俯瞰図である。
【図６】図５の６−６切断面の断面図である。
【符号の説明】
【００１６】
１ 回路基板
１０ 導電回路
１００ 接点
１０１ 接点
１１ 仮想円
１２ 凹溝
２ 発光ダイオード
２０ レンズ
【図１】
0003133397.tif 000003
【図２】
0003133397.tif 000004
【図３】
0003133397.tif 000005
【図４】
0003133397.tif 000006
【図５】
0003133397.tif 000007
【図６】
0003133397.tif 000008
【手続補正書】
【提出日】平成19年5月7日(2007.5.7)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤ照明具の発光ダイオード配列構造であって、
表面上に1層の導電回路を設けてなる回路基板と、
前記回路基板上にそれぞれ配置され、前記導電回路を電気接続する複数の発光ダイオードと、を含み、
前記回路基板が導電回路を設ける表面上に、仮想円を定義し、前記複数の発光ダイオードを前記仮想円に沿って前記回路基板上に分布させ、円形配列を形成させることを特徴とするＬＥＤ照明具の発光ダイオード配列構造。
【請求項２】
前記導電回路の正負極接点が前記発光ダイオードの外円に位置する請求項１記載のＬＥＤ照明具の発光ダイオード配列構造。
【請求項３】
更に、複数の仮想円を定義し、各前記仮想円を同心円方式で配列し、且つ各前記仮想円上にいずれも発光ダイオードを分布配置する請求項１記載のＬＥＤ照明具の発光ダイオード配列構造。
【請求項４】
前記内外仮想円上の各前記発光ダイオードが交替で配置される請求項３記載のＬＥＤ照明具の発光ダイオード配列構造。
【請求項５】
前記発光ダイオードが配置される回路基板の位置において、各前記発光ダイオードを収容させる凹溝を設けてなる請求項１記載のＬＥＤ照明具の発光ダイオード配列構造。
【請求項６】
前記発光ダイオード上にいずれも１次レンズを形成してなる請求項１または５記載のＬＥＤ照明具の発光ダイオード配列構造。
【手続補正２】
【補正対象書類名】明細書
【補正対象項目名】０００６
【補正方法】変更
【補正の内容】
【０００６】
すなわち、請求項１の考案は、ＬＥＤ照明具の発光ダイオード配列構造であって、
表面上に1層の導電回路を設けてなる回路基板と、前記回路基板上にそれぞれ配置され、前記導電回路を電気接続する複数の発光ダイオードと、を含み、前記回路基板が導電回路を設ける表面上に、仮想円を定義し、前記複数の発光ダイオードを前記仮想円に沿って前記回路基板上に分布させ、円形配列を形成させることを特徴とするＬＥＤ照明具の発光ダイオード配列構造である。
請求項２の考案は、前記導電回路の正負極接点が前記発光ダイオードの外円に位置する請求項１記載のＬＥＤ照明具の発光ダイオード配列構造である。
請求項３の考案は、更に、複数の仮想円を定義し、各前記仮想円を同心円方式で配列し、且つ各前記仮想円上にいずれも発光ダイオードを分布配置する請求項１記載のＬＥＤ照明具の発光ダイオード配列構造である。
請求項４の考案は、前記内外仮想円上の各前記発光ダイオードが交替で配置される請求項３記載のＬＥＤ照明具の発光ダイオード配列構造である。
請求項５の考案は、前記発光ダイオードが配置される回路基板の位置において、各前記発光ダイオードを収容させる凹溝を設けてなる請求項１記載のＬＥＤ照明具の発光ダイオード配列構造である。
請求項６の考案は、前記発光ダイオード上にいずれも１次レンズを形成してなる請求項１または５記載のＬＥＤ照明具の発光ダイオード配列構造である。